(57)【要約】【課題】容易に嵌合／離脱を行うことができる低挿入力コネクタを提供する。【解決手段】低挿入力コネクタ１は、プラグコネクタハウジング１０とレセプタクルコネクタハウジング２０とから構成され、プラグコネクタハウジング１０の嵌合本体部１１には突起部３１が備えられ、レセプタクルコネクタハウジング２０の嵌合部２１にはスリット部２２と第１リンク４１及び第２リンク４２から構成されるクランクレバー部４０とが備えられている。第２リンク４２の端部に連結された棒状部材４３を動かして第１リンク４１の突起係止部４５の係止凹部４６と係合した突起部３１を嵌合方向に移動させ、嵌合本体部１１と嵌合部２１とを完全嵌合する。【選択図】  図１
2004199907.tif 000002
【特許請求の範囲】
【請求項１】
プラグコネクタハウジングと、
このプラグコネクタハウジングと嵌合するレセプタクルコネクタハウジングとを有し、
前記プラグコネクタハウジングは、
側壁を有しこの側壁に沿って前記レセプタクルコネクタハウジングと嵌合する嵌合本体部と、この嵌合本体部の側壁に設けられた、前記側壁の外面から前記外面に対し直交する方向に突出する凸状の突起部とを備え、
前記レセプタクルコネクタハウジングは、
壁部を有しこの壁部に沿って前記プラグコネクタハウジングの嵌合本体部が内側に嵌合し、嵌合時に前記突起部が移動可能となるように前記壁部にスリット部が形成された縦断面が凹状の嵌合部と、このスリット部が形成された壁部の外面側に設けられた、第１リンク及びこの第１リンクよりも長い第２リンクから構成されるクランクレバー部とを備え、
前記第１リンクは、長手方向両端部のうちの一方の端部に、前記突起部が係止される係止凹部を有すると共に前記一方の端部が前記スリット部のスリット形状に沿って可動するように前記スリット部に嵌る形状の位置決め凸部を前記壁部の外面側の端面に有する縦断面がＵ字状の突起係止部を備えると共に、他方の端部が前記第２リンクの両端部間の所定位置に可動状態で連結された構造からなり、
前記第２リンクは、長手方向両端部のうちの一方の端部が前記嵌合部の壁部に可動状態で連結されると共に他方の端部が前記壁部に連結された該一方の端部を回転中心とした回転方向に可動する構造からなり、
前記プラグ及びレセプタクルコネクタハウジングの嵌合時に、前記クランクレバー部を操作することにより前記突起部が係止した前記第１リンクの突起係止部が前記スリット部に沿って嵌合方向に移動され、前記嵌合本体部が前記嵌合部に完全嵌合される
ことを特徴とする低挿入力コネクタ。
【請求項２】
プラグコネクタハウジングと、
このプラグコネクタハウジングと嵌合するレセプタクルコネクタハウジングとを有し、
前記プラグコネクタハウジングは、
側壁を有しこの側壁に沿って前記レセプタクルコネクタハウジングと嵌合する嵌合本体部と、この嵌合本体部の側壁に設けられた、前記側壁の外面から前記外面に対し直交する方向に突出する凸状の突起部とを備え、
前記レセプタクルコネクタハウジングは、
壁部を有しこの壁部に沿って前記プラグコネクタハウジングの嵌合本体部が内側に嵌合し、嵌合時に前記突起部が移動可能となるように前記壁部にスリット部が形成された縦断面が凹状の嵌合部と、このスリット部が形成された壁部の外面側に設けられた、第１リンク及びこの第１リンクよりも長い第２リンクから構成されるクランクレバー部とを備え、
前記第１リンクは、長手方向両端部のうちの一方の端部に、前記突起部が係止される係止凹部を有すると共に前記一方の端部が前記スリット部のスリット形状に沿って可動するように前記スリット部に嵌る形状の位置決め凸部を前記壁部の外面側の端面に有する縦断面がＵ字状の突起係止部を備えると共に、他方の端部が前記第２リンクの一方の端部に可動状態で連結された構造からなり、
前記第２リンクは、長手方向両端部間の所定位置が前記嵌合部の壁部に可動状態で連結されると共に、前記両端部がそれぞれ前記壁部に連結された前記所定位置を回転中心とした回転方向に可動する構造からなり、
前記プラグ及びレセプタクルコネクタハウジングの嵌合時に、前記クランクレバー部を操作することにより前記突起部が係止した前記第１リンクの突起係止部が前記スリット部に沿って嵌合方向に移動され、前記嵌合本体部が前記嵌合部に完全嵌合される
ことを特徴とする低挿入力コネクタ。
【請求項３】
前記突起部は、前記嵌合本体部の一対の対向する側壁にそれぞれ設けられ、
前記スリット部及びクランクレバー部は、前記嵌合部の一対の対向する壁部にそれぞれ設けられている
ことを特徴とする請求項１又は２記載の低挿入力コネクタ。
【請求項４】
複数のクランクレバー部の前記第２リンク同士は、前記複数のクランクレバー部を連動して可動させるために把持する棒状部材により更に連結されていることを特徴とする請求項１〜３のいずれか１項記載の低挿入力コネクタ。
【発明の詳細な説明】
【０００１】
【発明の属する技術分野】
この発明は、プラグコネクタハウジング及びレセプタクルコネクタハウジング同士を相互に容易に嵌合させたり、離脱させたりすることができる低挿入力コネクタに関する。
【０００２】
【従来の技術】
現在、エレクトロニクス化の急速な発展により、例えば自動車に搭載されるワイヤハーネスなどにおいても回路数（電線数）が年々増加する傾向にある。回路数の増加に伴い、ワイヤハーネスの端末部に取り付けられるコネクタも多極化（内蔵接続端子数の増加）が進展し、図９に示すような多極コネクタが多く使用されるようになってきた。この多極コネクタ１００は、内部に複数のレセプタクル接続端子（図示せず）を収容するための端子収容孔１０１が形成されたプラグコネクタハウジング１１０と、このプラグコネクタハウジング１１０が内側に嵌合すると共に内部に複数のプラグ接続端子１０２を収容するための端子収容孔（図示せず）が形成されたレセプタクルコネクタハウジング１２０と、このレセプタクルコネクタハウジング１２０に別途取り付けられたレバー１３０とから構成されている。この多極コネクタ１００のように、接続する接続端子数が増えれば、プラグコネクタハウジング１１０及びレセプタクルコネクタハウジング１２０同士の嵌合時／離脱時の接触抵抗が増加するため、両者の嵌合時の挿入力及び離脱時の引抜力もより高くなってしまう。そこで、これらの挿入力及び引抜力を低く抑えるために、レバー１３０等の倍力機構を備え、てこの原理を利用して両者を嵌合／離脱するようにしたいわゆるレバー式コネクタが知られている（例えば、特許文献１及び２参照。）。
【０００３】
【特許文献１】
特許第２７６２８９７号公報（第２−３頁、第１−５図）
【特許文献２】
特許第２９５６４９８号公報（第３−５頁、第１−１２図）
【０００４】
【発明が解決しようとする課題】
しかしながら、このようなレバー式コネクタに備えられているレバー等の倍力機構は、その倍力機構を動作させるためのスペースを確保する必要があると共にてこの作用を大きくするために倍力機構を大きく（例えば、レバー１３０を大きくしたり、溝１２１を長くしたり）構成しなければならないため、レバー式コネクタ自体が大きくなる傾向にある。
【０００５】
この発明は、このような事情に鑑みてなされたもので、適度な大きさで容易に嵌合／離脱を行うことができる低挿入力コネクタを提供することを目的とする。
【０００６】
【課題を解決するための手段】
この発明に係る第１の低挿入力コネクタは、プラグコネクタハウジングと、このプラグコネクタハウジングと嵌合するレセプタクルコネクタハウジングとを有し、前記プラグコネクタハウジングは、側壁を有しこの側壁に沿って前記レセプタクルコネクタハウジングと嵌合する嵌合本体部と、この嵌合本体部の側壁に設けられた、前記側壁の外面から前記外面に対し直交する方向に突出する凸状の突起部とを備え、前記レセプタクルコネクタハウジングは、壁部を有しこの壁部に沿って前記プラグコネクタハウジングの嵌合本体部が内側に嵌合し、嵌合時に前記突起部が移動可能となるように前記壁部にスリット部が形成された縦断面が凹状の嵌合部と、このスリット部が形成された壁部の外面側に設けられた、第１リンク及びこの第１リンクよりも長い第２リンクから構成されるクランクレバー部とを備え、前記第１リンクは、長手方向両端部のうちの一方の端部に、前記突起部が係止される係止凹部を有すると共に前記一方の端部が前記スリット部のスリット形状に沿って可動するように前記スリット部に嵌る形状の位置決め凸部を前記壁部の外面側の端面に有する縦断面がＵ字状の突起係止部を備えると共に、他方の端部が前記第２リンクの両端部間の所定位置に可動状態で連結された構造からなり、前記第２リンクは、長手方向両端部のうちの一方の端部が前記嵌合部の壁部に可動状態で連結されると共に他方の端部が前記壁部に連結された該一方の端部を回転中心とした回転方向に可動する構造からなり、前記プラグ及びレセプタクルコネクタハウジングの嵌合時に、前記クランクレバー部を操作することにより前記突起部が係止した前記第１リンクの突起係止部が前記スリット部に沿って嵌合方向に移動され、前記嵌合本体部が前記嵌合部に完全嵌合されることを特徴とする。
【０００７】
この発明に係る第２の低挿入力コネクタは、プラグコネクタハウジングと、このプラグコネクタハウジングと嵌合するレセプタクルコネクタハウジングとを有し、前記プラグコネクタハウジングは、側壁を有しこの側壁に沿って前記レセプタクルコネクタハウジングと嵌合する嵌合本体部と、この嵌合本体部の側壁に設けられた、前記側壁の外面から前記外面に対し直交する方向に突出する凸状の突起部とを備え、前記レセプタクルコネクタハウジングは、壁部を有しこの壁部に沿って前記プラグコネクタハウジングの嵌合本体部が内側に嵌合し、嵌合時に前記突起部が移動可能となるように前記壁部にスリット部が形成された縦断面が凹状の嵌合部と、このスリット部が形成された壁部の外面側に設けられた、第１リンク及びこの第１リンクよりも長い第２リンクから構成されるクランクレバー部とを備え、前記第１リンクは、長手方向両端部のうちの一方の端部に、前記突起部が係止される係止凹部を有すると共に前記一方の端部が前記スリット部のスリット形状に沿って可動するように前記スリット部に嵌る形状の位置決め凸部を前記壁部の外面側の端面に有する縦断面がＵ字状の突起係止部を備えると共に、他方の端部が前記第２リンクの一方の端部に可動状態で連結された構造からなり、前記第２リンクは、長手方向両端部間の所定位置が前記嵌合部の壁部に可動状態で連結されると共に、前記両端部がそれぞれ前記壁部に連結された前記所定位置を回転中心とした回転方向に可動する構造からなり、前記プラグ及びレセプタクルコネクタハウジングの嵌合時に、前記クランクレバー部を操作することにより前記突起部が係止した前記第１リンクの突起係止部が前記スリット部に沿って嵌合方向に移動され、前記嵌合本体部が前記嵌合部に完全嵌合されることを特徴とする。
【０００８】
この発明によれば、従来のレバー等の倍力機構の代わりに突起部をプラグコネクタハウジングに備えると共に突起係止部を備える第１リンク及びこの第１リンクよりも長い第２リンクから構成されるクランクレバー部をレセプタクルコネクタハウジングに備え、クランクレバー部を動作させることによりてこの原理を利用して突起部をプラグコネクタハウジングの嵌合方向／抜去方向に移動させて両コネクタハウジングを嵌合／離脱（抜去）するため、従来のものに比べてレバーを動かすための動作スペースが小さくても低い挿入力でハウジング同士を嵌合することが可能となる。これにより、省スペースで容易にコネクタハウジング同士の嵌合を行うことができる。
【０００９】
なお、突起部は、嵌合本体部の一対の対向する側壁にそれぞれ設けられ、スリット部及びクランクレバー部は、嵌合部の一対の対向する壁部にそれぞれ設けられていることが好ましい。複数のクランクレバー部を同期させて動作させ、両コネクタハウジングの嵌合を行えば、嵌合時のねじれやよじれの発生をより抑えることが可能となる。
【００１０】
また、複数のクランクレバー部の第２リンク同士は、複数のクランクレバー部を連動して可動させるために把持する棒状部材により更に連結されていることが好ましい。このようにすれば、両コネクタハウジングの嵌合時に複数のクランクレバー部を棒状部材を把持して動作させるだけで同期させて動作させることができ、嵌合時のねじれやよじれの発生をより抑えることができる。
【００１１】
【発明の実施の形態】
以下、添付の図面を参照して、この発明の好ましい実施の形態を説明する。
図１は、この発明の一実施形態に係る低挿入力コネクタを示す外観斜視図、図２は、この低挿入力コネクタにおける嵌合動作を説明するための一部断面図、図３は、この低挿入力コネクタにおける完全嵌合時の状態を説明するための一部断面図である。
図１及び図２に示すように、低挿入力コネクタ１は、プラグコネクタハウジング１０と、レセプタクルコネクタハウジング２０とから構成されている。プラグコネクタハウジング１０は、側壁９ａ，９ｂを有しこの側壁９ａ，９ｂに沿ってレセプタクルコネクタハウジング２０と嵌合する嵌合本体部１１と、この嵌合本体部１１の両側壁９ａ，９ｂの外面側にそれぞれ設けられた、側壁９ａ，９ｂの外面からこれらの外面に対し直交する方向に突出する凸状の突起部３１（側壁９ｂ側は図示せず）とから構成されている。このプラグコネクタハウジング１０には、例えば複数のレセプタクル接続端子４（図２参照）をプラグコネクタハウジング１０内に収容するための複数の端子収容孔１４が形成されている。また、プラグコネクタハウジング１０には、レセプタクルコネクタハウジング２０との完全嵌合時に両コネクタハウジング１０，２０を係止固定するためのロック機構を後述するロック凹部と共に構成するロック凸部１２を有する弾性係止片１３が形成されている。
【００１２】
一方、レセプタクルコネクタハウジング２０は、壁部８ａ，８ｂを有しこの壁部８ａ，８ｂに沿ってプラグコネクタハウジング１０の嵌合本体部１１が内側に嵌合し、嵌合時に突起部３１が移動可能となるように壁部８ａ，８ｂにスリット部２２が形成された縦断面が凹状の嵌合部２１と、このスリット部２２が形成された両壁部８ａ，８ｂにそれぞれ設けられた第１リンク４１及びこの第１リンク４１よりも長い第２リンク４２から構成されるクランクレバー部４０と、これらクランクレバー部４０の複数の第２リンク４２の端部同士を連結する棒状部材４３とを備えて構成されている。このレセプタクルコネクタハウジング２０には、例えば複数のプラグ接続端子３をレセプタクルコネクタハウジング２０内に収容するための複数の端子収容孔（図示せず）が形成されている。また、レセプタクルコネクタハウジング２０には、プラグコネクタハウジング１０との完全嵌合時に両コネクタハウジング１０，２０を係止固定するためのロック機構を上記ロック凸部１２と共に構成するロック凹部２３が形成されている。
【００１３】
クランクレバー部４０の複数の第１リンク４１は、それぞれ長手方向両端部のうちの一方の端部側に、嵌合本体部１１の突起部３１が嵌められて係止される係止凹部４６を有すると共に一方の端部がスリット部２２のスリット形状に沿って可動するようにスリット部２２に嵌る形状の位置決め凸部４４を壁部８ａ，８ｂの外面側の端面に有する、縦断面がＵ字状の突起係止部４５を備える。また、複数の第１リンク４１は、他方の端部が複数の第２リンク４２の両端部間の所定位置に、それぞれ連結ピン４９で可動するように第２リンク４２と連結されている。クランクレバー部４０の複数の第２リンク４２は、それぞれ長手方向両端部のうちの一方の端部が嵌合部２１の壁部８ａ，８ｂに連結ピン４８で可動するように連結され、他方の端部がそれぞれ棒状部材４３により更に連結されている。複数の第２リンク４２は、壁部８ａ，８ｂに連結された端部側を回転中心として回動可能な構造からなる。このような構成により、クランクレバー部４０は、棒状部材４３を操作して第１リンク４１及び第２リンク４２を同期させて動かすことができる構造となっている。
【００１４】
このように構成された低挿入力コネクタ１における両コネクタハウジング１０，２０の嵌合動作は、図２及び図３に示すようにして行われる。まず、図２（ａ）に示すように、プラグコネクタハウジング１０の嵌合本体部１１が、レセプタクルコネクタハウジング２０の嵌合部２１の内側に嵌ると共に、突起部３１がスリット部２２に挿入され且つ第１リンク４１の突起係止部４５の係止凹部４６に係止されるように、両コネクタハウジング１０，２０を嵌合方向に近づける。すると、同図（ｂ）に示すように、嵌合本体部１１が嵌合部２１にいくらか嵌合され、突起係止部４５の係止凹部４６に突起部３１が嵌った状態となる。このとき、クランクレバー部４０の棒状部材４３を図中矢印Ａ方向に動かすと、第２リンク４２の動きに合わせて第１リンク４１が引っ張られ、第１リンク４１の突起係止部４５が嵌合方向に移動する。これに伴い、突起係止部４５の係止凹部４６に嵌った突起部３１が嵌合本体部１１と共に嵌合方向に移動させられ、図３に示すように、嵌合本体部１１が嵌合部２１の内側に完全嵌合されて、両コネクタハウジング１０，２０が完全嵌合される。両コネクタハウジング１０，２０の嵌合時に、プラグコネクタハウジング１０のレセプタクル接続端子４とレセプタクルコネクタハウジング２０のプラグ接続端子３とが僅かに嵌合した初期嵌合状態から完全に嵌合した完全嵌合状態に至るまで嵌合に伴う抵抗感は増えるが、クランクレバー部４０がてこの原理を利用した構造からなるため、容易に低い挿入力でハウジング同士を嵌合することができる。
【００１５】
このように、この低挿入力コネクタ１によれば、突起係止部４５の係止凹部４６に嵌められた突起部３１を、クランクレバー部４０を動かして嵌合方向に移動させるという簡単な動作で両コネクタハウジング１０，２０を完全嵌合することができる。また、クランクレバー部４０の動作範囲は、従来のレバー等に比べると小さいので、結果的に動作スペースを小さくすることができると共にコネクタの大きさを小さくすることができる。
【００１６】
なお、この例では完全嵌合された両コネクタハウジング１０，２０を抜去する際には、クランクレバー部４０の棒状部材を上記Ａ方向と反対方向に動かせば良い。この場合も、クランクレバー部４０がてこの原理を利用した構造からなるため、容易に低い抜去力でハウジング同士を抜去することができる。また、この例ではプラグコネクタハウジング１０の嵌合本体部１１の両側壁９ａ，９ｂに突起部３１が形成され、レセプタクルコネクタハウジング２０の嵌合部２１の両壁部８ａ，８ｂにスリット部２２と、第１及び第２リンク４１，４２とが備えられている場合について説明したが、突起部３１とスリット部２２と第１及び第２リンク４１，４２とが嵌合本体部１１及び嵌合部２１のいずれか一方の側壁９ａ（又は９ｂ）及び壁部８ａ（又は８ｂ）側のみに備えられていても良い。この場合、第２リンク４２に連結された棒状部材４３はあってもなくても良い。
【００１７】
図４は、この発明の他の実施形態に係る低挿入力コネクタを示す外観斜視図、図５及び図６は、この低挿入力コネクタにおける嵌合動作を説明するための一部断面図である。なお、以降において、既に説明した部分と重複する説明は割愛する。
図４に示すように、この低挿入力コネクタ１´は、クランクレバー部４０の第１リンク４１の突起係止部４５に備えられた係止凹部４６´の形状が異なっている点が、先の例の低挿入力コネクタ１と相違している。この低挿入力コネクタ１´によれば、図５（ａ）に示すように、両コネクタハウジング１０，２０の嵌合に際して、プラグコネクタハウジング１０を嵌合方向に近づけ、同図（ｂ）に示すように突起部３１が係止凹部４６´に当接するように嵌合本体部１１を嵌合部２１の内側に挿入し、図６（ａ）に示すように、クランクレバー部４０の棒状部材４３を図中矢印Ａ方向に少し動かして係止凹部４６´に突起部３１を係止し、そのまま、同図（ｂ）に示すように、クランクレバー部４０の棒状部材４３を図中矢印Ａ方向に動かせば良い。これにより、第２リンク４２の動きに合わせて第１リンク４１が引っ張られ、第１リンク４１の突起係止部４５が嵌合方向に移動し、突起係止部４５の係止凹部４６´に係止した突起部３１が嵌合本体部１１と共に嵌合方向に移動させられ嵌合本体部１１が嵌合部２１の内側に完全嵌合されて、両コネクタハウジング１０，２０が上記例と同様に完全嵌合される。このように、この低挿入力コネクタ１´においても、クランクレバー部４０がてこの原理を利用した構造からなるため、動作スペースを小さくして容易に低い挿入力でハウジング同士を嵌合することが可能となる。両コネクタハウジング１０，２０の抜去動作についても同様である。
【００１８】
図７は、この発明の更に他の実施形態に係る低挿入力コネクタを示す外観斜視図、図８は、この低挿入力コネクタにおける嵌合動作を説明するための一部断面図である。
図７に示すように、この低挿入力コネクタ２は、クランクレバー部４０´の複数の第１リンク４１´の突起係止部４５側と反対側の端部が、第２リンク４２´の一方の端部に４９を介して可動状態で連結され、第２リンク４２´の長手方向両端部間の所定位置が嵌合部２１の壁部８ａに連結ピン４８を介して可動状態で連結されて、第２リンク４２´の両端部が連結ピン４８を回転中心とした回転方向に可動する点が、先の例の低挿入力コネクタ１´と相違している。この低挿入力コネクタ２によれば、図８（ａ）に示すように、両コネクタハウジング１０，２０の嵌合に際して、プラグコネクタハウジング１０を嵌合方向に近づけ、突起部３１が係止凹部４６に当接するように嵌合本体部１１を嵌合部２１の内側に挿入した後、クランクレバー部４０´の棒状部材４３を図中矢印Ｂ方向に少し動かして突起係止部４５の係止凹部４６に突起部３１を係止する。そのまま、同図（ｂ）に示すように、クランクレバー部４０´の棒状部材４３を図中矢印Ｂ方向に動かせば、嵌合本体部１１が嵌合部２１に完全に嵌合され、両コネクタハウジング１０，２０が完全嵌合される。このように、この低挿入力コネクタ２においても、クランクレバー部４０´がてこの原理を利用した構造からなるため、動作スペースを小さくして容易に低い挿入力でハウジング同士を嵌合することが可能となる。両コネクタハウジング１０，２０の抜去動作については、上記Ｂ方向と反対方向に棒状部材４３を動かせば良い。
【００１９】
【発明の効果】
以上述べたように、この発明によれば、従来のレバー等の倍力機構の代わりに突起部をプラグコネクタハウジングに備えると共に突起係止部を備える第１リンク及びこの第１リンクよりも長い第２リンクから構成されるクランクレバー部をレセプタクルコネクタハウジングに備え、クランクレバー部を動作させることによりてこの原理を利用して突起部をプラグコネクタハウジングの嵌合方向／抜去方向に移動させて両コネクタハウジングを嵌合／離脱（抜去）するため、従来のものに比べてレバーを動かすための動作スペースが小さくても低い挿入力でハウジング同士を嵌合することが可能となる。これにより、省スペースで容易にコネクタハウジング同士の嵌合を行うことができるという効果を奏する。
【図面の簡単な説明】
【図１】この発明の一実施形態に係る低挿入力コネクタを示す外観斜視図である。
【図２】同低挿入力コネクタにおける嵌合動作を説明するための一部断面図である。
【図３】同低挿入力コネクタにおける完全嵌合時の状態を説明するための一部断面図である。
【図４】この発明の他の実施形態に係る低挿入力コネクタを示す外観斜視図である。
【図５】同低挿入力コネクタにおける嵌合動作を説明するための一部断面図である。
【図６】同低挿入力コネクタにおける嵌合動作を説明するための一部断面図である。
【図７】この発明の更に他の実施形態に係る低挿入力コネクタを示す外観斜視図である。
【図８】同低挿入力コネクタにおける嵌合動作を説明するための一部断面図である。
【図９】従来の低挿入力コネクタを示す外観斜視図である。
【符号の説明】１，１´，２…低挿入力コネクタ、３…プラグ接続端子、４…レセプタクル接続端子、８…壁部、９…側壁、１０…プラグコネクタハウジング、１１…嵌合本体部、１２…ロック凸部、１３…弾性係止片、１４…端子収容孔、２０…レセプタクルコネクタハウジング、２１…嵌合部、２２…スリット部、２３…ロック凹部、３１…突起部、４０，４０´…クランクレバー部、４１，４１´…第１リンク、４２，４２´…第２リンク、４３…棒状部材、４５…突起係止部、４６，４６´…係止凹部、４８，４９…連結ピン。
【図１】
2004199907.tif 000003
【図２】
2004199907.tif 000004
【図３】
2004199907.tif 000005
【図４】
2004199907.tif 000006
【図５】
2004199907.tif 000007
【図６】
2004199907.tif 000008
【図７】
2004199907.tif 000009
【図８】
2004199907.tif 000010
【図９】
2004199907.tif 000011